(57)【要約】【課題】フレーム情報を含まない多重化データに対するシーク動作を可能とする。【解決手段】多重化データ１００（Ａ，Ｖ，Ｔ）を入出力インターフェイス１１を介して蓄積メモリ１３へ格納し蓄積メモリ１３に格納する（ステップＳＴ１）。次に、多重化データ自身のデータサイズＳａｌｌとそのデータ全体を再生する全体再生時間Ｔａｌｌと指定時刻までの再生時間Ｔｓｅｅｋとを取得する（ステップＳＴ２）。全体再生時間Ｔａｌｌと指定時刻までの再生時間Ｔｓｅｅｋとの比率を用いて多重化データ１００の中から指定時刻に対応するデータ位置Ｓｓｅｅｋを検索する（ステップＳＴ３）。求めたデータ位置Ｓｓｅｅｋに対応するフレーム（符号化された動画像データ（Ａ４））を多重化データより分離し復号化して入出力インターフェイス１５を介して表示装置２へ出力する。【選択図】  図４
2005020339.tif 000002
【特許請求の範囲】
【請求項１】
ＡＶデータに多重化されている符号化動画像データを復号化する装置であって、
前記符号化動画像データは複数のフレームを含み、
前記装置は、
前記ＡＶデータのデータサイズと、前記ＡＶデータの再生時間と、外部より指定される表示時刻を示す指定時刻とを取得する取得部と、
前記取得部によって取得されたデータサイズ，再生時間，指定時刻を用いて前記ＡＶデータの中から前記指定時刻に対応するデータ位置を検索する検索部と、
前記検索部で得られたデータ位置に対応するフレームを復号化する復号化部とを備える
ことを特徴とする動画像復号化装置。
【請求項２】
ＡＶデータに多重化されている符号化動画像データを復号化する装置であって、
前記装置は、
前記符号化動画像データは複数のフレームを含み、
前記ＡＶデータのビットレートと、外部より指定される表示時刻を示す指定時刻とを取得する取得部と、
前記取得部によって取得された出力速度情報および指定時刻を用いて前記ＡＶデータの中から前記指定時刻に対応するデータ位置を検索する検索部と、
前記検索部で得られたデータ位置に対応したフレームを復号化する復号化部とを備え、
前記ビットレートは、単位時間当たりに消費されるＡＶデータのデータ量を示す
ことを特徴とする動画像復号化装置。
【請求項３】
請求項１または請求項２において、
前記ＡＶデータは、
前記符号化動画像データと他の符号化データとが所定の配列単位で多重化されており、
前記動画像復号化装置はさらに、
前記ＡＶデータの配列単位のデータサイズが所定のサイズを超えているか否かを判定する判定部と、
前記ＡＶデータの配列単位のデータサイズが所定のサイズを超えていると前記判定部で判定されたとき、前記ＡＶデータの配列単位のデータサイズが前記所定のサイズ以下になるように前記ＡＶデータ内の各符号化データの並びを変更する再構成部とを備える
ことを特徴とする動画像復号化装置。
【請求項４】
ＡＶデータに多重化されている符号化動画像データを復号化する装置であって、
前記ＡＶデータは、
前記符号化動画像データと他の符号化データとが所定の配列単位で多重化されており、
前記装置は、
前記ＡＶデータの配列単位のデータサイズが所定のサイズを超えているか否かを判定する判定部と、
前記前記ＡＶデータの配列単位のデータサイズが所定のサイズを超えていると前記判定部で判定されたとき、前記ＡＶデータの配列単位のデータサイズが前記所定のサイズ以下になるように前記ＡＶデータ内の各符号化データの並びを変更する再構成部と、
前記再構成部によって並びが変更されたＡＶデータについてのフレーム情報を作成し、作成したフレーム情報を当該ＡＶデータに付加するフレーム情報作成部とを備え、
前記フレーム情報は、
当該ＡＶデータに含まれているフレームの時間軸上における並びを示す情報を含む
ことを特徴とする動画像復号化装置。
【発明の詳細な説明】
【０００１】
【発明の属する技術分野】
この発明は、符号化された動画像データ（符号化された動画像データ）を復号化する装置に関し、さらに詳しくは、符号化動画像データのシーク動作の制御に関する。
【０００２】
【従来の技術】
今日、情報技術の発展により、ＡＳＦやＭＰ４などの多重化規格に基づいて蓄積メディアに圧縮保存された音声や動画像（映像）を再生して楽しむことが可能となった。このようなＡＶデータ（多重化データ）を復号化して再生するにあたって、シーク動作（ユーザによって指定された時刻（指定時刻）に対応するフレームを検索する動作）は、内容検索を容易にかつ迅速に行うために重要な機能である。このシーク動作を行う際、多重化データに含まれるフレーム情報を用いてシーク対象となるフレームを検索していた。多重化データの中にフレーム情報が含まれている場合は、フレーム情報に含まれる各基準画像のフレームに対する表示時刻であるＰＴＳ情報と指定時刻を比較することで、最も近い時刻でのフレームでの符号化動画像データが多重化データのどの位置に存在しているか一意に検索することが可能である。
【０００３】
【発明が解決しようとする課題】
また、ユーザは自作した音声や動画像（映像）を独自に多重化し蓄積メディアに圧縮保存することも可能となった。しかし、ユーザが自作した多重化データ（ＡＶデータ）の中には、フレーム情報を含まないものが存在する。フレーム情報が存在しない多重化データに対して上述の手法でシーク動作を行うことは困難である。
【０００４】
この発明の目的は、フレーム情報が存在しない符号化動画像データに対してシーク動作を行うことができる動画像復号化装置を提供することである。
【０００５】
【課題を解決するための手段】
この発明の１つの局面に従うと、動画像復号化装置は、符号化された動画像データを復号化する装置であって、取得部と、検索部と、復号化部とを備える。符号化動画像データは、複数のフレームを含む。また、符号化動画像データは、ＡＶデータに多重化されている。取得部は、ＡＶデータのデータサイズとＡＶデータの再生時間と指定時刻とを取得する。指定時刻は、外部より指定される表示時刻を示す。検索部は、取得部で得られた情報（ＡＶデータのデータサイズ，ＡＶデータの再生時間，指定時刻）を用いてＡＶデータの中から指定時刻に対応するデータ位置を検索する。復号化部は、検索部によって得られたデータ位置に対応するフレームを復号化する。
【０００６】
上記動画像復号化装置では、ＡＶデータのデータサイズ，ＡＶデータの再生時間，指定時刻を用いて、ＡＶデータの再生時間における指定時刻の時間軸上での位置を求める。具体的には、ＡＶデータ全体のデータサイズと、ＡＶデータ全体の再生時間と指定時刻との比率とにより、指定時刻に対応するフレームのデータが含まれるデータ位置を計算する。よって、フレーム情報の存在しない符号化動画像データに対してシーク動作を行うことができる。
【０００７】
この発明のもう１つの局面に従うと、動画像復号化装置は、符号化された動画像データを復号化する装置であって、取得部と、検索部と、復号化部とを備える。符号化動画像データは、複数のフレームを含む。また、符号化動画像データは、ＡＶデータに多重化されている。取得部は、ビットレートと指定時刻とを取得する。ビットレートは、単位時間当たりに消費されるＡＶデータのデータ量を示す。検索部は、ビットレートを用いて指定時刻に対応するデータ位置を検索する。
【０００８】
上記動画像復号化装置では、ビットレートは、単位時間当たりに上記動画像復号化装置に入力することによって消費されるＡＶデータのデータ量を示す。検索部は、ビットレートと指定時刻とを用いて指定時刻に対応するフレームデータのデータ位置（ＡＶデータにおける先頭からのデータ位置）を計算する。よって、フレーム情報の存在しない符号化動画像データに対してシーク動作を行うことができる。
【０００９】
好ましくは、前記ＡＶデータは、符号化動画像データと他の符号化データとが所定の配列単位で多重化されている。上記動画像復号化装置は、判定部と、再構成部とをさらに備える。判定部は、ＡＶデータの配列単位のデータサイズが所定のサイズを超えているか否かを判定する。再構成部は、ＡＶデータの配列単位のデータサイズが所定のサイズを超えていると判定部で判定されたとき、ＡＶデータの配列単位のデータサイズが所定のサイズ以下になるようにＡＶデータ内の各符号化データの並びを変更する。
【００１０】
フレーム情報が存在しないＡＶデータに対してシーク動作を行う場合、ＡＶデータに含まれる各符号化データの結合順序によって不可能な場合がある。例えば、ＡＶデータがデータの先頭から半分までに符号化動画像データ（Ａ）を含み、データの半分から最後までに他の符号化データ（Ｂ）を含むように多重化されているとする。このＡＶデータに対して上記全体再生時間と上記指定時刻との関係を用いてデータ位置を検索した。結果、データの先頭からデータ全体に対して３／４の位置がデータ位置として検索されたとする。すると、復号化されるのは、後者の他の符号化データ（Ｂ）のみで符号化動画像データは全く復号化されない。このように、ＡＶデータに含まれる符号化データの結合順序が偏ってしまうとシーク動作をうまく行うことができない。
【００１１】
上記動画像復号化装置では、ＡＶデータに含まれる各符号化データにおける配列単位のデータサイズが所定のサイズを超えるとき、配列単位のデータサイズが所定のサイズ以下になるようにＡＶデータ内の各符号化データの並びを変更する。つまり、ＡＶデータに含まれる各符号化データの結合順序の偏りが大きい時ＡＶデータ内の各符号化データの並びを変更する。よって上記のような問題を解消することができ、シーク動作を行うことができる。
【００１２】
この発明のさらにもう１つの局面に従うと、動画像復号化装置は、ＡＶデータに多重化されている符号化動画像データを復号化する装置であって、判定部と、再構成部と、フレーム情報作成部とを備える。ＡＶデータは、符号化動画像データと他の符号化動画像データとが所定の配列単位で多重化されている。符号化動画像データは、複数のフレームを含む。判定部は、ＡＶデータの配列単位のデータサイズが所定のサイズを超えているか否かを判定する。再構成部は、ＡＶデータの配列単位のデータサイズが所定のサイズを超えていると判定部で判定されたとき、ＡＶデータの配列単位のデータサイズが所定のサイズ以下になるようにＡＶデータ内の各符号化データの並びを変更する。フレーム情報作成部は、再構成部によって並びが変更されたＡＶデータについてのフレーム情報を作成し、作成したフレーム情報を当該ＡＶデータに付加する。フレーム情報は、ＡＶデータに含まれているフレームの時間軸上における並びを示す情報を含む。
【００１３】
上記動画像復号化装置では、各符号化データの結合順序を変更したＡＶデータに対してフレーム情報を付加する。よって、フレーム情報の表示時刻とユーザの指定時刻とを比較して、時間軸上で最も近いフレームの表示時刻を検索することによってシーク動作を行うことができる。
【００１４】
【発明の実施の形態】
以下、この発明の実施の形態を図面を参照して詳しく説明する。なお、図中同一または相当部分には同一の符号を付しその説明は繰り返さない。
【００１５】
（第１の実施形態）
第１の実施形態による動画像再生システムの全体構成を図１に示す。このシステムは、所定の多重化規格（例えばＡＳＦやＭＰ４など）に従って多重化されているＡＶデータ（多重化データ１００）に含まれる符号化動画像データの再生を行う。このシステムでは、ユーザによって指定された位置（時刻）から符号化動画像データを再生することができる（シーク動作）。このシステムは、動画像復号化装置１と、表示装置２とを備える。動画像復号化装置１は、入出力インターフェイス１１，１５と、ＣＰＵ１２と、蓄積メモリ１３と、フレームバッファ１４とを備える。入出力インターフェイス１１は、外部からの多重化データ１００の入力処理を行う。ＣＰＵ１２は、多重化データ１００の解析、多重化データ１００の分離、符号化動画像データの復号化、および指定時刻情報２００に応じて全体のコントロールを行う。指定時刻情報２００は、ユーザによって指示される表示時刻（指定時刻）を示す。蓄積メモリ１３は、多重化データ１００、および符号化動画像データを蓄積する。フレームバッファ１４は、復号化された動画像データ（フレームデータ）を蓄積する。入出力インターフェイス１５は、フレームバッファ１４に蓄積されたフレームデータを表示装置２へ出力する。
【００１６】
次に、図１に示した動画像再生システムの動作について説明する。ここではシーク動作について説明する。シーク動作は、多重化データ１００（ＡＶデータ）の中からユーザに指定された表示時刻に対応するフレームを表示する処理である。以下、シーク動作について図２を参照しつつ説明する。
【００１７】
〔ステップＳＴ１〕
入出力インターフェイス１１を介して多重化データ１００が動画像復号化装置１に入力される。多重化データ１００の一例を図３に示す。多重化データ１００は、符号化動画像データ（Ｖ），符号化音声・オーディオデータ（Ａ），符号化テキストデータ（Ｔ）などが所定の配列単位（図３に示した多重化データ１００の場合、符号化動画像データ（Ｖ）・符号化音声・オーディオデータ（Ａ）・符号化テキストデータ（Ｔ）の配列単位はそれぞれ１パケットである。１パケットには少なくとも１つ以上のフレームが含まれている。）で多重化されたデータ（ＡＶデータ）である。
【００１８】
〔ステップＳＴ２〕
次に、ＣＰＵ１２は、多重化データ１００に含まれるストリーム情報の中から、多重化データ自身のデータサイズＳａｌｌとそのデータ全体を再生する全体再生時間Ｔａｌｌとを取得する。また、指定時刻情報２００が示す指定時刻を取得して、データの先頭から指定時刻までの再生時間Ｔｓｅｅｋを求める。
【００１９】
〔ステップＳＴ３〕
次に、ＣＰＵ１２は、データサイズＳａｌｌと全体再生時間Ｔａｌｌと指定時刻までの再生時間Ｔｓｅｅｋとを用いて、多重化データ１００の中から指定時刻に対応するデータ位置Ｓｓｅｅｋを検索する。データ位置Ｓｓｅｅｋはデータの先頭からの位置を示す。
【００２０】
以下に、図４を参照し、データ位置Ｓｓｅｅｋの検索方法を説明する。
【００２１】
図４のように、多重化データ自身のデータサイズＳａｌｌに対して全体再生時間Ｔａｌｌと指定時刻までの再生時間Ｔｓｅｅｋとの比率を用いて、数１のようにデータ位置Ｓｓｅｅｋを検索する。
【００２２】
【数１】
2005020339.tif 000003
【００２３】
〔ステップＳＴ４〕
次に、ＣＰＵ１２は、多重化データの中から検索したデータ位置Ｓｓｅｅｋ以降の符号化動画像データのパケットＶ４を分離する。次に、そのパケットＶ４の中から一番先頭のフレームを分離する。分離されたフレームは蓄積メモリ１３に蓄積される。
【００２４】
〔ステップＳＴ５〕
次に、ＣＰＵ１２は、蓄積されたフレームを復号化する。
【００２５】
〔ステップＳＴ６〕
次に、ＣＰＵ１２は、復号化したフレームＶ４をフレームバッファ１４に蓄積する。
【００２６】
〔ステップＳＴ７〕
次に、入出力インターフェイス１５は、復号化したフレームを表示装置２へ出力する。
【００２７】
以上のように、第１の実施形態では、シーク動作時にデータサイズＳａｌｌと、全体再生時間Ｔａｌｌと、指定時刻までの再生時間Ｔｓｅｅｋとを用いて、データ位置Ｓｓｅｅｋを決定することによって、フレーム情報が存在しない場合もシーク動作を行うことができる。
【００２８】
なお、シーク動作後に通常再生を行う場合では、シーク動作によって表示したフレーム以降の符号化動画像データをデータの先頭に近い順番にて復号化して、復号化した順番にて表示装置２へ出力する。
【００２９】
（第２の実施形態）
第２の実施形態による動画像再生システムの全体構成は図１に示したものと同じであるがＣＰＵ１２の動作が異なる。第２の実施形態は、データ位置Ｓｓｅｅｋを検索する際、データサイズＳａｌｌと全体再生時間Ｔａｌｌとに代えてビットレートＲｍｕｘを用いる。
【００３０】
次に、第２の実施形態による動画像再生システムにおけるシーク動作について、図５を参照しつつ説明する。
【００３１】
〔ステップＳＴ１〕
入出力インターフェイス１１を介して多重化データ１００が動画像復号化装置１に入力される。
【００３２】
〔ステップＳＴ１１〕
次に、ＣＰＵ１２は、多重化データ１００に含まれるストリーム情報の中から、ビットレートＲｍｕｘを取得する。また、指定時刻情報２００が示す指定時刻を取得して、データの先頭から指定時刻までの再生時間Ｔｓｅｅｋを求める。ビットレートＲｍｕｘは、単位時間あたりに動画像復号化装置１へ入力される多重化データ１００のデータ量を示す。
【００３３】
〔ステップＳＴ１２〕
次に、ＣＰＵ１２は、ビットレートＲｍｕｘと、指定時刻までの再生時間Ｔｓｅｅｋとを用いて多重化データ１００の中から指定時刻に対応するデータ位置Ｓｓｅｅｋを検索する。データ位置Ｓｓｅｅｋは多重化データ１００の先頭に対しての位置を示す。
【００３４】
以下に、図６を参照してデータ位置Ｓｓｅｅｋの検索方法を説明する。
【００３５】
ビットレートＲｍｕｘは単位時間あたりに出力するデータ量を示すので、指定時刻までを再生する時間Ｔｓｅｅｋとの積を求めるとデータ位置Ｓｓｅｅｋが算出される。つまり、数２のように示すことができる。
【００３６】
【数２】
2005020339.tif 000004
【００３７】
次に、第１の実施形態と同様に、ステップＳＴ４〜ステップＳＴ７における処理が行われる。
【００３８】
以上のように、第２の実施形態によれば、ビットレート情報Ｒｍｕｘと、指定時刻までの再生時間Ｔｓｅｅｋとを用いてデータ位置Ｓｓｅｅｋを検索することによって、フレーム情報がない場合もシーク動作を行うことができる。
【００３９】
（第３の実施形態）
第３の実施形態による動画像再生システムの全体構成は図１に示したものと同じであるがＣＰＵ１２の動作が異なる。多重化データの中にフレーム情報がない場合で、かつ動画像データ、音声・オーディオデータ、テキストデータのどれか１つのデータが、それぞれに設定された一定のサイズ以上同じデータが並んで配置されていた場合、第１〜第２の実施形態で説明した手法を用いても、ユーザから指示された表示時刻のフレームデータを表示するシーク動作を行うことが困難となってしまう。そこで第３の実施形態では、そのような多重化データに対しても動画像データ、音声・オーディオデータ、テキストデータがそれぞれ一定サイズを超えないような形式へと再構成することで、容易にシーク動作を行うことを可能とする。
【００４０】
次に、第３の実施形態による動画像再生システムにおけるシーク動作について、図７を参照しつつ説明する。
【００４１】
〔ステップＳＴ１〕
入出力インターフェイス１１を介して多重化データ１００が動画像復号化装置１に入力される。
【００４２】
〔ステップＳＴ２１〕
次に、ＣＰＵ１２は、多重化データ１００の先頭からデータを走査し多重化データ１００に含まれている各符号化データ（動画像データ，音声・オーディオデータ，テキストデータ）の配列単位（多重化単位）を調べる。各符号化データの配列単位は、同じ種類の符号化データのパケットが連続する区間を示す。具体的には、図８のように音声・オーディオデータ（Ａ）の配列単位はＡ１〜Ａ６の区間（６パケット）であり、動画像データ（Ｖ）の配列単位はＶ１〜Ｖ５の区間（５パケット）であり、テキストデータ（Ｔ）の配列単位はＴ１〜Ｔ５（５パケット）である。各データの配列単位（Ａ，Ｖ，Ｔ）を調べた結果が図８のように各データに定められたサイズ（Ａｓ，Ｖｓ，Ｔｓ）を超える場合にはステップＳＴ２２へ進み、各データに定められたサイズを超えない場合には、ステップＳＴ２に進む。
【００４３】
〔ステップＳＴ２２〕
次に、ＣＰＵ１２は、動画像データ、音声オーディオデータ、テキストデータをそれぞれのデータに対して定められたサイズ以下で連続するように分割し、分割されたそれぞれのデータに対してデータの種類に関係なく表示時間の順番に並べて多重化する。すなわち、各符号化データの配列単位を定められたサイズ以下になるように分割し、分割した各データを、図９のように各符号化データの先頭に存在するものから順に多重化する。
【００４４】
〔ステップＳＴ２〜ステップＳＴ７〕
次に、第１の実施形態と同様に、ステップＳＴ２からステップＳＴ７の処理が行われる。
【００４５】
以上のように、多重化データ１００を再構成することによって、多重化データ１００に含まれる各データの配列単位が定められたサイズを超える場合でかつフレーム情報が存在しない場合でもシーク動作を行うことができる。
【００４６】
なお、ステップＳＴ２１より後の処理（ステップＳＴ２〜ステップＳＴ７）は、第２の実施形態のステップＳＴ１１〜ステップＳＴ７における処理を代わりに行ってもよい。
【００４７】
（第４の実施形態）
第４の実施形態による動画像再生システムの全体構成は図１に示したものと同じであるがＣＰＵ１２の動作が異なる。第４の実施形態は、第３の実施形態において構成を新たにした多重化データに対してフレーム情報を作成し付加する。
【００４８】
次に、第４の実施形態による動画像再生システムにおけるシーク動作について、図１０を参照しつつ説明する。
【００４９】
〔ステップＳＴ１〕
入出力インターフェイス１１を介して多重化データ１００が動画像復号化装置１に入力される。
【００５０】
〔ステップＳＴ２１，ステップＳＴ２２〕
次に、ステップＳＴ２１における処理を行い、多重化データ１００に含まれている各符号化データの配列単位（Ａ，Ｖ，Ｔ）を調べる。各符号化データの配列単位を調べた結果が図８のように定められたサイズ（Ａｓ，Ｖｓ，Ｔｓ）を超える場合にはステップＳＴ２２における処理を行う。定められたサイズを超えない場合にはステップＳＴ３１に進む。
【００５１】
〔ステップＳＴ３１〕
次に、ＣＰＵ１２は、多重化データ１００またはステップＳＴ２２で新たに構成した多重化データを解析する。つまり、多重化データ（多重化データ２００または新たに構築された多重化データ）に含まれる各符号化データの配列単位の並びを調べて表示時刻情報を取得する。ＣＰＵ１２は、表示時刻情報を基にフレーム情報（図１１参照）を作成して付加する。
【００５２】
〔ステップＳＴ３２〕
次に、ＣＰＵ１２は、フレーム情報の表示時刻（ＰＴＳ情報）とユーザによって指示された指定時刻とを比較する。そして、最も時間軸上で近い表示時刻に対応する符号化動画像データのフレームをフレーム情報を付加した多重化データの中から検索する。
【００５３】
〔ステップＳＴ３３〕
次に、ＣＰＵ１２は、検索したフレーム以降の符号化動画像データを多重化データ１００またはステップＳＴ２２で新たに構成した多重化データより分離する。分離された符号化動画像データのフレームは蓄積メモリ１３に蓄積される。
【００５４】
〔ステップＳＴ５からステップＳＴ７〕
次に、ステップＳＴ５〜ステップＳＴ７における処理が行われる。
【００５５】
以上のように、フレーム情報を作成し多重化データ１００に付加することによって、ユーザが指示した時刻に対応するデータ位置をフレーム情報を参照するだけで取得でき、容易にシーク動作を行うことができる。
【００５６】
【発明の効果】
この発明による動画像復号化装置では、フレーム情報が含まれていない多重化データに対してユーザが指示する時刻のフレームを表示するシーク動作を行う場合、従来の技術ではシーク動作自体を行うことが困難であったが、多重化データのファイルサイズ、もしくはビットレートを用いることでシーク動作が可能となる。また、多重化データを再構成する手段を備えることにより、より容易にシーク動作を行うことができる形式へと再構成することができる。
【図面の簡単な説明】
【図１】この発明の第１の実施形態における動画像復号化装置の全体構成を示すブロック図である。
【図２】図１に示した動画像復号化装置による処理の手順を示したフローチャートである。
【図３】図１に示した多重化データの一例である。
【図４】図２に示した指定時刻に対応するデータ位置の検索方法を示す図である。
【図５】この発明の第２の実施形態における処理の手順を示したフローチャートである。
【図６】図５に示した指定時刻に対応するデータ位置の検索方法を示す図である。
【図７】この発明の第３の実施形態における処理の手順を示したフローチャートである。
【図８】各データに定められたサイズを超えて連続して各データが並んでいる多重化データの一例である。
【図９】図７に示した多重化データを並び替える方法について示す図である。
【図１０】この発明の第４の実施形態における処理の手順を示したフローチャートである。
【図１１】フレーム情報の一例である。
【符号の説明】
１  動画像復号化装置
２  表示装置
１１，１５  入出力インターフェイス
１２  ＣＰＵ
１３  蓄積メモリ
１４  フレームバッファ
１００  多重化データ
２００  指定時刻情報
【図１】
2005020339.tif 000005
【図２】
2005020339.tif 000006
【図３】
2005020339.tif 000007
【図４】
2005020339.tif 000008
【図５】
2005020339.tif 000009
【図６】
2005020339.tif 000010
【図７】
2005020339.tif 000011
【図８】
2005020339.tif 000012
【図９】
2005020339.tif 000013
【図１０】
2005020339.tif 000014
【図１１】
2005020339.tif 000015